(57)【要約】【課題】  同一の音声に基づき、異なる増幅度で増幅されて記録媒体１０に記録されているデジタルの音声データを再生する際に、再生音に歪みが生じずノイズが可能な限り抑えられて再生の忠実性が得られ、且つ、取り扱いが簡便であるデータ再生装置の実現を目的とする。【解決手段】 マイクロホン２からのアナログ信号を増幅度の異なるアンプ２０，２１増幅して更に記録媒体１０に記録された二つのデジタルを再生する際に、ＤＳＰ３が、それら二つのデジタルデータの中から増幅度の大きい方を選択し、その選択したデジタルデータに再生可能なレベルを超えた部分がある場合に、他方のデジタルデータと対応する再生可能なレベルのデジタルデータ部分に置換えて再生するように機能する構成した。【選択図】  図２
2008041174.tif 000002
【特許請求の範囲】
【請求項１】
一つのアナログ信号から、予め用意された複数の増幅度を用いてそれぞれ増幅度が異なる複数の増幅済みのアナログ信号が生成され、その複数の増幅済みのアナログ信号がそれぞれデジタルデータに変換され、その複数のデジタルデータが互いに対応付けられて記録されている記録媒体から、前記デジタルデータを再生するデータ再生装置において、
前記記録媒体から読み出された複数のデジタルデータのうち、前記最大増幅度が設定された前記増幅済みアナログ信号に対応する前記デジタルのデータから、再生出力レベルが予め設定された限界値を超えるデータを検出し、
その検出されたデータに関し、前記最大増幅度よりも低い他の増幅度が設定された前記増幅済みアナログ信号に対応する前記デジタルデータから、前記再生出力レベルが前記限界値以下である代替データを抽出し、
前記検出されたデータを前記代替データに置換えて再生する再生手段が備えられてなることを特徴とするデータ再生装置。
【請求項２】
デジタルデータの再生を行う手段としてＤＳＰが備えられ、そのＤＳＰが前記検出、前記抽出及び前記置換えを行う請求項１に記載のデータ再生装置。
【請求項３】
前記検出されたデータを前記代替データに置換える前に、それらのデータの増幅度を共通化させる構成の請求項１又は２に記載のデータ再生装置。
【発明の詳細な説明】
【技術分野】
【０００１】
この発明は、入力して来るインタビューや音楽演奏等の音声がマイクロホンによって電気信号に変換され、その音声に係る電気信号が適当なレベルに増幅された後にデジタルの音声データとして記録媒体に記録された場合に、その記録媒体に記録された音声データを再生するデータ再生装置に関する。
データ記録装置が音声データを記録媒体に記録する際、マイクロホンへの音声の入力に係るレベルがデータ記録装置の最大入力レベルを越える場合に、その最大入力レベルを超えた音声については再生時に歪みとなって現れる。
この発明は、特に、この再生時の歪みを回避し得る音声データの再生の改良に関する。
【背景技術】
【０００２】
まず、音声データの再生の前提となる音声データの記録について説明する。
データ記録装置は、マイクロホンが入力して来る音声を電気信号に変換し、その電気信号をアンプが適当なレベルに増幅し、更に、その適当なレベルに増幅された電気信号をＡ／Ｄ変換器がデジタルの音声データに変換し、その音声データをＤＳＰが半導体メモリ等の記録媒体に記録するように機能するものである。
データ記録装置が音声データを記録する際には、音声データが良好なレベルで記録されて結果的に再生した際に所望レベルの再生音声が得られるように、マイクロホンが音声から変換した電気信号を適当なレベルに増幅することが必ず行われている。
【０００３】
この電気信号の適当なレベルの増幅は、録音対象である音声データを確実に記録するためにもノイズを低く抑えることからも、大きいほど望ましい。
しかしながら、増幅のレベルを大きくし過ぎると、音声データ記録装置の最大入力可能なレベル（以下、「ＶＭＡＸ」と称する。）を超えてしまうことになる。斯かる場合、マイクロホンの後段側に接続されているＡ／Ｄ変換器においてはＶＭＡＸ以上の値を取ることは不可能なので、入力レベルがＶＭＡＸを超えた電気信号は全てＶＭＡＸの値を持つものとして見なされて、その最大入力のレベルでデジタル信号に変換されることになる。
【０００４】
尚、ＶＭＡＸを越えたレベルのデータは、記録媒体に記録されて、その後に、再生される際に、ピックアップ時の音声に対して元々忠実に記録されていないから、結果的にマイクロホンのピックアップ時の音声に対して忠実に再生されることはない。
従って、ＶＭＡＸは、再生出力において再生可能なレベルの限界値となっている。
【０００５】
ここで、入力レベルがＶＭＡＸを越えた音声に係る電気信号は、単に最大入力のレベルのデジタルの音声データとして記録されることになる。
従って、その音声データを再生することによってアナログの音声に戻すと、入力レベルがＶＭＡＸを越えた部分の音声は歪んだ音声となって再生され、マイクロホンによって実際にピックアップされた際の音声に対応した音声として再生されることはない。
つまり、音声データの忠実な記録と再生が得られないということになる。
【０００６】
音声データの記録の際に音声入力のレベルが高過ぎて、結果的に、再生される音声に歪みが発生するという問題が生じる。斯かる問題を避けるために、従来からいくつかの方法が試みられている。
歪み発生の対応の一つとして、マイクロホンの後段において入力されて来る音声に係る電気信号に対して録音ボリュームを下げて録音レベルを小さくするという方法が知られている。
【０００７】
しかし、斯かる方法では、入力のレベルが確実にＶＭＡＸを超えないようにと録音ボリュームを下げる余り、録音ボリュームを下げ過ぎてレベルが小さくなり過ぎ、結果的に、記録対象の音声に比して音源の周囲のノイズが大きく録音されるという新たな問題が生じる。
二つに、マイクロホンの後段にＡＧＣ回路（自動利得制御回路）を配設して、音声に係る入力電気信号のレベルを制御する方法が挙げられる。斯かる方法では、入力レベルを制御するので入力信号のレベルがＶＭＡＸを超えることはない。
【０００８】
しかし、マイクロホンの後段にＡＧＣ回路を配設する構成では、例えばインタビューの最中つまり音声データの記録を行っている際に音声の入力がなくなったり入力音声のレベルが突然極めて低くなった場合には、ＡＧＣ回路が入力レベルが下がったことに対してゲインが自動的に増加するように作用し、この作用が対象音源の周囲のノイズまでをも増幅して、結果的に、ノイズの多い録音になってしまうという問題が生じる。
マイクロホンがピックアップした音声を音声データとして記録し、所望時にその音声データを再生する場合、再生で得られる音声はマイクロホンがピックアップした音声に近似であれば近似であるほど望ましい。つまり、音声データの記録の忠実性と音声データの再生の忠実性が大きな意味を持つことになり、ノイズが強調された再生音声は当然望ましくない。
【０００９】
ここで、再生音声がマイクロホンによってピックアップされた音声に忠実であるには、まず、入力信号のレベルはデータ記録装置のＶＭＡＸ以下で、音声データの記録が行われることが重要となる。
反対に、入力レベルがデータ記録装置のＶＭＡＸを越えた音声データを再生した場合には、歪みが生じて忠実な再生が得られないという問題が生じることになる。この問題に対して、入力レベルを抑えることなく再生音声で歪みを回避する発明として、以下の文献が知られている。
【００１０】
【特許文献１】特開２０００−２６１２６３号公報
【発明の開示】
【発明が解決しようとする課題】
【００１１】
特開２０００−２６１２６３号公報には、出力される音量の最大値と基準値に基づいて上昇可能な音量マージンを検出し且つその検出の値を保持することによって、その検出したマージンの分だけ音量調節を可能にする音量調節器（以下、「先行発明」と称する。）が開示されている。
斯かる構成の音量調節器は、音量を上げ過ぎても、検出して保持している音量マージンによってレンジオーバーになることはなく、結果的に、出力側において歪みが発生するということはない。
【００１２】
つまり、斯かる構成の先行発明で音声データを得て記録すると、歪みの生じない再生音声が得られるということになる。
しかし、先行発明は、上昇可能な音量マージンが決められる構成であることにより、その音量マージンを越える音量の入力に対してはレンジオーバーへの対応ができないので、忠実な音声データの記録が得られず、結果的に、再生時に原音に応じた音声が得られないという問題があった。
【００１３】
殊に、前記の音量マージンの値が小さい値であって、原音がその音量マージンを大きく越えていればいるほど、斯かる問題はより一層深刻であった。
そこで、マイクロホンからの音声に係る電気信号を増幅する際に、相異なる複数の増幅度でそれらの電気信号の増幅を行い、この増幅で得られた電気信号のうちで増幅度の高い方の電気信号に係る音声データを再生し、且つ、その増幅度の高い方の電気信号がＶＭＡＸを超えた場合にはＶＭＡＸを越えない電気信号に係る音声データを再生するように、複数の増幅度の電気信号の使い分けをすることによって歪みがなく忠実性の高い音声の再生が考えられる。
【００１４】
しかし、上記の音声データの使い分けをユーザーが行うことは技術的に甚だ難しく、煩雑な作業となり、実用性に欠けるという問題が生じることになる。
この発明は、上記の事情に鑑みて為されたものであり、同一の音声に係る電気信号が複数のレンジ、つまり、複数の増幅度で増幅され、更に、記録媒体に記録された複数のデジタルの音声データを再生する際に、再生音に歪みが生じずノイズが可能な限り抑えられて再生の忠実性が得られ、更に、取り扱いが簡便であるデータ再生装置を提供するものである。
【課題を解決するための手段】
【００１５】
この発明は、同一入力のアナログ信号を異なる増幅度で増幅して得た複数の電気信号をデジタルデータとして記録媒体に記録され、その記録されている記録媒体からそれらのデジタルデータを読み出して再生する際に、それら複数のデジタルデータの中から増幅度の大きい方を選択し、その選択したデジタルデータに再生可能なレベルを超えた部分がある場合には、他のデジタルデータと対応し且つ再生可能なレベルのデジタルデータ部分に置換えて再生するように構成したデータ再生装置である。
【００１６】
その詳細な構成は、一つのアナログ信号から、予め用意された複数の増幅度を用いてそれぞれ増幅度が異なる複数の増幅済みのアナログ信号が生成され、その複数の増幅済みのアナログ信号がそれぞれデジタルデータに変換され、その複数のデジタルデータが互いに対応付けられて記録されている記録媒体から、前記デジタルデータを再生するデータ再生装置において、
前記記録媒体から読み出された複数のデジタルデータのうち、前記最大増幅度が設定された前記増幅済みアナログ信号に対応する前記デジタルのデータから、再生出力レベルが予め設定された限界値を超えるデータを検出し、その検出されたデータに関し、前記最大増幅度よりも低い他の増幅度が設定された前記増幅済みアナログ信号に対応する前記デジタルデータから、前記再生出力レベルが前記限界値以下である代替データを抽出し、前記検出されたデータを前記代替データに置換えて再生する再生手段が備えられてなることを特徴とするデータ再生装置である。
【００１７】
ここで、再生可能なレベルを超えないデジタルデータとは、アナログデータを記録する際に記録可能なレベルを超えないデータが記録されることによって得られるデータを意味する。
尚、前記検出、前記抽出及び前記置換えを行う手段として、具体的に、デジタル信号プロセッサが挙げられる。
【００１８】
又、データ再生装置は、前記検出されたデータを前記代替データに置換える前に、それら二つのデータの増幅度を共通化させる機能が付加されている。
【発明の効果】
【００１９】
この発明は、複数の増幅度で増幅され互いに対応付けられたデジタルデータを記録媒体から読み出して再生する際に、それら複数のデジタルデータの中から再生可能なレベルを超えないデジタルデータを選択して再生するので、再生可能なレベルを超えたことによる歪んだデジタルデータが再生されることがなく、再生可能なレベルの範囲でノイズの少ないデータを採用していることからノイズを低く抑えることができることによって再生の忠実性が高く、又、取り扱いが簡便なデータ再生装置である。
【発明を実施するための最良の形態】
【００２０】
この発明を、以下において、図面に示す最良の形態に基づき詳述する。しかし、この形態によって、この発明が限定されるものではない。
データ再生装置１は、図１に示すように、バッファメモリ２と、デジタル信号プロセッサ３（以後、「ＤＳＰ３」と称する。）と、制御手段４と、Ｄ／Ａ変換器５と、アンプ６と、スピーカ７と、操作部８及び表示部９が備えられている。
【００２１】
尚、記録媒体１０とバッファメモリ２の間にバス１１が、バッファメモリ２とＤＳＰ３の間にバス１２が、制御手段４とＤＳＰ３の間にはバス１３が、ＤＳＰ３とＤ／Ａ変換器５の間にはバス１４がそれぞれ介在されている。
又、制御手段４は、入力部１５と、演算部１６と、メモリ１７及び出力部１８が備えられている。
【００２２】
データ再生装置１には、ピックアップした音声を音声データに変換して記録する音声データの記録機能が備えられている。
つまり、データ再生装置１は、マイクロホン１９と、アンプ２０，２１と、電子ボリューム２２，２３（以後、「ＥＶＲ２２，２３」と称する。）と、Ａ／Ｄ変換器２４，２５が備えられている。
【００２３】
尚、データ再生装置１においては、音声データの記録機能と音声データの再生機能の間で、前記のバッファメモリ２と、ＤＳＰ３と、制御手段４と、操作部８及び表示部９が共用される構成になっている。
ここで、この発明は音声データを再生することに係るが、再生の対象である音声データが予め存在することが前提であることから、まず先に音声データの記録機能について説明を行う。
【００２４】
マイクロホン１９は、人の音声、自然界の音、演奏会の音楽などの音声が入力されるとアナログの電気信号に変換して後段に出力するものである。  
アンプ２０，２１は共に、マイクロホン１９の後段に接続され、マイクロホン１９からの音声に係る電気信号を受け取ってそれぞれ３００倍で増幅し、その増幅した電気信号を後段のＥＶＲ２２，２３に送る。
【００２５】
ＥＶＲ２２，２３は、録音の待機時や録音の機能時に制御手段４から制御信号を受けると、ＥＶＲ２２において減衰量を１／４、ＥＶＲ２３において減衰量を１／１２になるように変化させ、結果的に、アンプ２０，２１とそれぞれ共動してマイクロホン１９からの音声に係る電気信号のゲインを所望の値の７５倍、２５倍となるように機能するものである。
Ａ／Ｄ変換器２４，２５はそれぞれ、ＥＶＲ２２，２３の後段に接続されており、所望のレベルに加工されたアナログの電気信号が入力されると、デジタルの電気信号に変換してバス１４に出力するものである。
【００２６】
ここで、マイクロホン１９からの音声に係るアナログの電気信号は、アンプ２０で増幅され、ＥＶＲ２２で所望のゲインが確保され、Ａ／Ｄ変換器２４でデジタルの電気信号に
変換されてバス１４に入力されるメインとなる第一の系と、アンプ２１で増幅され、ＥＶＲ２３で所望のゲインが確保され、Ａ／Ｄ変換器２５でデジタルの電気信号に変換されてバス１４に入力される補助となる第二の系を構成する元になっている。
バス１４は、Ａ／Ｄ変換器２４，２５から増幅度の異なる二つのデジタルの電気信号を受け取って、それら二つの電気信号を互いに対応付けてＤＳＰ３に送る。
【００２７】
ＤＳＰ３は、制御手段４からの制御信号に基づいて、バス１４を介してＡ／Ｄ変換器２４，２５からの互いに対応付けられた音声に係る二つのデジタルの電気信号を受取ると、その電気信号を音声データとして記録媒体１０に録音するためにバッファメモリ２に送る。つまり、ここでは、ＤＳＰ３は記録手段として機能するものである。
同じく、ＤＳＰ３は、制御手段４からの制御信号に基づいて、バッファメモリ２を介して記録媒体１０に記録されているデジタルの音声データを読み出し、Ｄ／Ａ変換器５に送って当該音声データを音声に係るアナログの電気信号に再生するように機能するねものである。つまり、ＤＳＰ３は、再生手段としても機能する。
【００２８】
制御手段４は、操作部８から録音の開始・停止、再生の開始・停止等の制御信号やデータ信号を受ける入力部１５と、マイクロホンアンプの増幅度等を記憶する不揮発性のメモリ１７と、入力部１５からの操作信号の内容に対応して判断・演算を行って制御信号を生成する演算部１６と、演算部１６で生成された制御信号をＥＶＲ２２，２３、ＤＳＰ３及び表示部９に出力するための出力部１８が備えられている。
【００２９】
尚、メモリ１７に記憶されているマイクアンプの増幅度等は、操作部８からの操作によって変更することが可能になっている。
演算部１６は、具体的に、音声データの記録時に、録音開始の入力を操作入力から受けた後、メモリ１７から増幅度を読み出して、所望の増幅度が得られるようにＥＶＲ２２，２３の設定値を算出し、ＥＶＲ２２，２３に出力する。
【００３０】
バッファメモリ２は、実質的にＤＳＰ３と記録媒体１０の間に介在され、バス１１を介してＤＳＰ３からデジタルの電気信号を一時的に記憶するものである。
そして、バッファメモリ２は、ＤＳＰ３からの音声データを一時的に保持しながら、記録媒体１０への音声データの流れに緩衝機能を奏するものである。
【００３１】
表示部９は、制御手段４からの制御信号に基づき、装置の機能の現状、操作内容、確認事項等を表示するものである。
記録媒体１０は、具体的に、半導体メモリが挙げられる。尚、ＣＤ、ＭＤ等であってもよい。  
【００３２】
以下において、データ再生装置１の音声データを再生する手段について説明する。
データ再生装置１の音声データを再生する手段は、基本的に、記録媒体１０に互いに対応付けられて記録されている二つの系に係る音声データのうち、音声に係る電気信号が高い方の増幅度で増幅されて得られた第一の系に係る音声データを優先的に選択して再生し、第一の系に係る音声データに係る電気信号であって、記録媒体１０に記録を行う手段のＶＭＡＸを越えた入力レベルの音声を記録した際には、対応付けられて記録された第二の系に係る音声データに係る電気信号を選択して出力するように構成されている。
【００３３】
具体的には、バッファメモリ２は、制御手段４からの制御信号をＤＳＰ３を介して受けると、バス１１を介して記録媒体１０に記録されている音声データを読み出して一時的に保持し、その音声データのＤＳＰ３への流れに緩衝機能を奏するものである。
ＤＳＰ３はまず初めに、制御手段４の制御に基づいて、バス１２を介し、バッファメモリ２から音声データの記録時に入力レベルの高い方であった第一の系に係る音声データを読み出し、音声データの記録の際に入力のレベルのピークがＶＭＡＸのレベルを越えていたか否かを検出する。
【００３４】
ここで、ＤＳＰ３が高い方の増幅度で増幅された第一の系に係る音声データを記録媒体１０から読み出した際に、第一の系に係る音声データに対応する第一の電気信号の録音入力時のレベルのピークが音声データを記録する装置のＶＭＡＸを越えておらず、ＶＭＡＸより低いレベルで入力されて結果的に音声データとして記録されたとＤＳＰ３において判別される場合には、ＤＳＰ３はバス１４を介して第一の電気信号をＤ／Ａ変換器５に送って、第二の系に係る音声データに対応する第二の電気信号を送ることはない。
【００３５】
他方、ＤＳＰ３が第一の系に係る音声データを記録媒体１０から読み出した際に、第一の系に係る音声データに対応する第一の電気信号の録音入力時のレベルのピークが音声データを記録する装置のＶＭＡＸを越えていた部分があったとＤＳＰ３で判別される場合には、ＤＳＰ３は、バス１２を介して、互いに対応付けられた第一の系の音声データと第二の系の音声データを読み出し、音声データ記録時のピークのレベルがＶＭＡＸに達していない音声データ部分については第一の系の音声データをバス１４に送り、ピークのレベルがＶＭＡＸに達した電気信号部分については第二の系の音声データに切り換えてバス１４に送るように機能する構成になっている。
【００３６】
よって、音声データを記録する際の電気信号のピークがＶＭＡＸに達していない場合には記録された音声データは過大入力による部分を持っていないと判断されて、第一の系に係る音声データに係る第一の電気信号がバス１４を介してＤ／Ａ変換器５に送られて、デジタル信号からアナログ信号に戻され、アンプ６によって所望のレベルに増幅され、スピーカ７から音声となってから出力されることになる。
他方、音声データを記録する際の電気信号のピークがＶＭＡＸに達している部分があって過大入力部分を持っていると判断されると、ＤＳＰは第一の系に係る音声データに係る第一の電気信号からそれより１０ｄＢだけ増幅度の低い第二の系に係る音声データに係る第二の電気信号に逐次選択を切り換えて、選択した一方の系に係る音声の電気信号のみをＤ／Ａ変換器５に送ることになる。
【００３７】
又、第一の系に係る音声データに係る第一の電気信号の入力レベルがＶＭＡＸであってその入力レベルが連続して等しい場合には、その部分の電気信号を過大入力部分と見なして、第二の系に係る音声データに係る第二の電気信号を選択切り換えて採用する。
尚、第一の系と第二の系の増幅度をそのままにして電気信号を切り換えて電気信号を繋ぐのであれば録音レベルが異なっていて不都合が生じるので、第一の系に係る音声データに係る電気信号と第二の系に係る音声データに係る第二の電気信号のレベル差が生じないように切り換わる構成になっている。
【００３８】
つまり、第一の系に係る第一の電気信号と第二の系に係る第二の電気信号のレベル差がレベル差検出部（図示省略）によって正確に検出され、次に、そのレベル差の値（約１０ｄＢ）の分だけ、第一の系に係る第一の電気信号のレベルをシフトダウンされる構成になっている。
このシフトダウンは、第一の系に係る第一の電気信号と第二の系に係る第二の電気信号のレベル差の値とシフトしたい値（約１０ｄＢ）との乗算によって算出される。つまり、第一の系に係る第一の電気信号は、元の値のほぼ３分の１にレベルダウンされると、第二の系に係る第二の電気信号と同じレベルになる。
【００３９】
データ再生装置１は、再生時に第一の系に係る電気信号と第二の系に係る音声データが選択的に再生・出力される場合には、ＤＳＰ３において前記二つの系の電気信号のレベルが揃えられた後に、音声データの記録時にＶＭＡＸを越えて電気信号部分について第一の系と第二の系の音声に係る電気信号の選択が行われる構成になっている。
つまり、記録媒体１０から再生された音声データのうち、第一の系の音声データについて再生出力レベルが予め設定された限界値を超えるデータを検出する。
【００４０】
ＤＳＰ３は、第一の系の音声データで、再生出力レベルが予め設定された限界値つまり音声データの記録時にＶＭＡＸに対応する部分に対応する第二の系の音声データを代替データとして抽出する。
ここで、第一の系と第二の系では最初の増幅時において増幅度が異なるから、上記代替データの抽出があった旨を受けた制御手段４は、ＤＳＰ３に増幅度の共通化の制御信号を出力する。
【００４１】
よって、ＤＳＰ３は、第一の音声データのレベルダウンを行って増幅度を共通化させ、その後に、ＶＭＡＸを越えたと検出された部分について第二の系の音声データを代替データとして置換える。
この時、制御手段４は、第一の音声データが録音時にＶＭＡＸを越えた旨に基づいて、ＤＳＰ３に再生用の音声データとして何を選択すべきかの制御信号を出力している。
【００４２】
他方、前記二つの系の電気信号のレベルを揃えるためにレベルを下げることになり、結果的に、レベルが低くなり過ぎるという問題が発生する可能性が考えられる。
データ再生装置１では、斯かるレベルが低くなり過ぎるという問題の発生の可能性に対し、ＤＳＰ３が、上記第一の系に係る電気信号と第二の系に係る電気信号を選択して作られた音声に係る電気信号のピークの値とＶＭＡＸの差（マージン）だけレベルを上げる方向にシフトさせ、このレベルシフトをすることによってレベルアップを行い得る構成になっている。
【００４３】
斯かる構成によって、第二の系に係る第二の電気信号のピークの値は、最大ＶＭＡＸの値まで記録されるべき音声データが損なわれることなく増幅可能なレベルである。
従って、音声データ記録装置１は斯かる構成により、本来低いレベルのままであるよりもレベルを上げた分だけ音声に係る電気信号の出力が大きくなり、装置内で音声に係る電気信号対雑音の比において有利な構成となっている。
【００４４】
よって、低いレベルの音声に係る電気信号に対応して有利でも過大入力のために音声が歪んだ第一の系に係る第一の電気信号と、過大入力に対応性があってノイズに対して問題のある第二の系に係る第二の電気信号から、ノイズの抑制に対応し且つ過大入力にも対応し、マイクロホン１９でピックアップされた音声に強く近似する音声の電気信号が、バス１２を介してＤＳＰ３からＤ／Ａ変換器２３へ出力されることになる。
尚、このＤＳＰ３の第一の系に係る第一の電気信号と第二の系に係る第二の電気信号の選択切り替えは、音声データに係るファイルの記録の完了後に、ＤＳＰ３が、音声データファイルとは別に、録音をしている中で一番録音レベルが高い値、つまり、録音期間のピークの値を音声データファイルの付属ファイルとして記録媒体１０に記録させ、音声データを再生する際に前記付属ファイルに記録のピーク値に基づいて行う構成であってもよい。
【００４５】
つまり、音声データを作成する際に、電気信号の選択切り替えのための手だてを予め施すという構成である。
Ｄ／Ａ変換器５は、バス１４を介してＤＳＰ３からの選択された第一の系に係る音声データのデジタルの音声電気信号又は第二の系に係る音声データのデジタルの音声電気信号のいずれかを受けて、アナログ信号に変換してアンプ６に送るものである。
【００４６】
アンプ６は、Ｄ／Ａ変換器５からのアナログの音声に係る電気信号を所望のレベルに増幅した後に、スピーカ７に送るものである。    
スピーカ７は、アンプからの音声に係る電気信号を音声に変換して音声出力を行うものである。
斯かる構成では、ＤＳＰ３が、記録媒体１０から音声データを読み出し、音声に係る電気信号のレベルがＶＭＡＸを越えているか否か？、ＶＭＡＸを越えている電気信号の部分はどこか？、を検出する作業を必要としない構成になっている。
【００４７】
データ再生装置１は、上述したように構成されている。以下において、データ再生装置１の使用を説明する。
ユーザーは、データ再生装置１に記録媒体１０をセットしてから、マイクロホン１９を音声録音したい音源（図示省略）の方向に向け、操作部８を操作してメイン電源をＯＮにする。
【００４８】
続いて、操作部８を操作して、録音レベル等を設定してから、録音つまり音声データの記録を開始する。
ここで、マイクロホン１９は、上記音源からの音声をピックアップしてその音声をアナログの電気信号に変換し、その電気信号を第一の系を構成するアンプ２０及び第二の系を構成するアンプ２１に送る。
【００４９】
アンプ２０，２１は、マイクロホンからの電気信号を受け取ると、それぞれが３００倍に増幅し、その増幅された電気信号をＥＶＲ２２，２３に送る。
ＥＶＲ２２は、アンプ２０からの増幅された電気信号に対して制御手段４から制御信号に基づいて減衰量を１／４になるように変化させ、結果的に、マイクロホン１９からの音声に係る電気信号のゲインを所望の値の７５倍になるように機能し、Ａ／Ｄ変換器２４に
送る。
【００５０】
他方、ＥＶＲ２３は、アンプ２１からの増幅された電気信号に対して制御手段４から制御信号に基づいて減衰量をレベルが１／１２になるように変化させ、結果的に、マイクロホン１９からの音声に係る電気信号のゲインを所望の値の２５倍になるように機能し、Ａ／Ｄ変換器２５に送る。
この時、第一の系と第二の系の電気信号の特性曲線はそれぞれ、図３の上段で示された図と中段で示された図となって表示される。
【００５１】
Ａ／Ｄ変換器２４，２５はそれぞれ、ＥＶＲ２２，２３からアナログの音声に係る電気信号を入力すると、デジタルの電気信号に変換してバス１４に出力する。
バス１４は、Ａ／Ｄ変換器２４，２５からのレベルの異なる二つのデジタルの音声データをＤＳＰ３に送る。
【００５２】
ＤＳＰ３は、制御手段４からの制御信号に基づいて、バス１４から前記レベルの異なる二つのデジタルの音声データを受取ると、バス１２を介して、それら二つの音声データを互いに対応付けてバッファメモリ２に送る。
バッファメモリ２は、バス１２を介してＤＳＰ３から前記互いに対応付けられたレベルの異なる二つのデジタルの音声データを受け取ると、それらの音声データを一時的に記憶し緩衝機能を奏しながら音声データとしてバス１１を介して記録媒体１０に送る。
【００５３】
ここで、記録媒体１０は、前述のマイクロホン１９からの音声が７５倍と２５倍である二つのゲインである第一の系と第二の系に係る音声データが対応付けられて記録された状態になる。
ユーザーは、データ再生装置１を用いて、記録媒体１０に記録されているこれら二つの系に係る音声データを再生を行う際、データ再生装置１は以下のように作動する。
【００５４】
ユーザーは、操作部８を操作して再生対象リストを表示部９に表示させ、再生させたい音声データを特定する。
ここで、ユーザーは操作部８を操作して、その特定した音声データを再生するように操作を行うと、操作部８から制御手段４の入力部１５に音声データの再生の命令信号が送られる。
【００５５】
制御手段４の演算部１６は、入力部１５からの命令信号に基づいて、再生時に音声データの加工を行うか否か等に必要なデータをメモリ１７から読み出し、装置の動作が再生機能に移行できる状態にあるか否かを判断し、音声データを再生させるための命令信号を出力部１８からＤＳＰ３に送る。
ＤＳＰ３は、制御手段４から音声データの再生命令の信号を受け取ると、バッファメモリ２に記録媒体１０から再生目的の音声データの読み出しの制御信号を送る。
【００５６】
バッファメモリ２は、バス１１を介して記録媒体１０に記録されている上記の互いに対応付けられたレベルの異なる二つのデジタルの音声データに係る音声データを読み出して一時的に保持し、その音声データに係る音声データの流れに緩衝機能を奏してＤＳＰ３に送る。
ここで、ＤＳＰ３は図２に示すように機能する。つまり、ＤＳＰ３は、まず初めに、バッファメモリ２から音声データの記録時に増幅度が高い方であって入力レベルの高い方であった第一の系に係る第一の音声データを読み出し、音声データの記録の際に入力のレベルのピークがＶＭＡＸのレベルを越えていたか否かを検出する。
【００５７】
ここで、ＤＳＰ３がレベルのピークの検出を行って、高い方の増幅度で増幅された第一の系、つまり、マイクロホン１９からのアナログの電気信号がアンプ２０によって３００倍に増幅されＥＶＲ２２によって１／４に減衰された系に係る音声データを記録媒体１０から読み出した際に、第一の系に係る第一の電気信号の録音入力時のレベルのピークが音声データを記録する装置のＶＭＡＸつまり再生出力レベルが予め設定された限界値を越えていなかったと判別された場合には、ＤＳＰ３はバス１４を介して、第一の系に係る音声データから再生して第一の電気信号をＤ／Ａ変換器５に送り、第二の系、つまり、マイクロホン１９からのアナログの電気信号がアンプ２１によって３００倍に増幅されＥＶＲ２３によって１／１２に減衰された系に係る第二の電気信号を送ることはない。
【００５８】
他方、ＤＳＰ３が第一の系に係る音声データを記録媒体１０から読み出しを行い、第一の系に係る音声データに対応する第一の電気信号の録音入力時のレベルのピークが音声データを記録する装置のＶＭＡＸを越えている部分があった、つまり、再生出力レベルが予め設定された限界値を越え部分があると検出された場合には、ＤＳＰ３は、互いに対応付けられた第一の系に係る第一の音声データと第二の系に係る第二の音声データを読み出し、音声データ記録時のピークのレベルがＶＭＡＸに達していない音声データ部分については第一の系に係る第一の音声データを、ピークのレベルがＶＭＡＸに達した音声データ部分については第二の系に係る第二の音声データを抽出する。
続いて、ＤＳＰ３は、第一の系と第二の系では、音声データの記録の際の増幅で増幅度が互いに異なっているから、第一の音声データと第二の音声データでレンジの共通化を行った後に、第一の音声データでＶＭＡＸを超えた部分について第二の音声データの対応部分に置換えを行う。
従って、結果的には、図３の「再生出力」で示される音声データが出力されることになる。
【００５９】
尚、レンジの共通化とは、第一の系と第二の系ではアンプ２０，２１において音声に係る電気信号を増幅する際にそれぞれ増幅度が異なっており、この増幅度が同じになるように、第一の音声データと第二の音声データにレベル合わせを行うことを意味する。
第一の音声データと第二の音声データのレンジの共通化は、まず、それら二つの音声データのレベル差がＤＳＰ３において内蔵のレベル差検出部（図示省略）によって正確に検出され、続いて、そのレベル差の値（約１０ｄＢ）の分だけ第一の系の音声データのレベルをシフトダウンすることによって行う。
【００６０】
ここで、第一の系の音声データは、元の値のほぼ３分の１にレベルダウンされて、第二の系の音声データと同じレベルになる。
又、ここでは、レンジの共通化を、第一の系の音声データと第二の系の音声データの繋ぎ合わせ（置換え）の前に行っているが、第二の系の音声データを代替データとして第一の系のＶＭＡＸを超えた部分に置換えた後にレンジの共通化（レベル調整）を行う構成であってもよい。
【００６１】
ＤＳＰ３は、ここで得られた繋ぎ合わせの音声データを再生用音声データとして、バス１４を介して、Ｄ／Ａ変換器５に送る。
この時、Ｄ／Ａ変換器５は、ＶＭＡＸより低いレベルの音声データを入力したことになり、デジタル信号からアナログ信号に戻され、続いて、アンプ６によって所望のレベルに増幅され、スピーカ７から音声となってから出力される。
【００６２】
尚、ＤＳＰ３は、第一の系の音声データの入力レベルがＶＭＡＸであってその入力レベルが連続して等しいと検出した場合にはその入力レベルが連続して等しい部分の音声データを過大入力部分つまり再生出力レベルが限界値に達していると見なして、第二の系に係る第二の音声データを選択切り換えて採用する構成になっている。
つまり、第一の系の電気信号が増幅されてデータ記録される際に、実際には入力レベルが丁度ＶＭＡＸであり続ける場合もありＶＭＡＸを越えている場合もあるが、これら二つの場合は結果的に記録媒体１０に同じデータとして記録されることになりその判別が難しいので、元の音声の忠実性を得るために第二の系に係る音声データを採用する構成になっている。
【００６３】
又、レンジの共通化のために、第一の系の音声データをシフトダウンを行い、第一の系のレベルダウンさせた音声データに代替データの第二の音声データを繋ぎ合わせ、ここで得られる再生用音声データのピークが再生出力レベルの限界値（ＶＭＡＸに対応する値）に比して十分に低く、そのピークとＶＭＡＸに対応する値の差（マージン）が十分に大きい場合には、再生出力レベルの限界値の範囲内で音声データのレベルを上げる加工を行うことも可能である。
ＤＳＰ３の斯かるレベルに対する加工によって、レンジの共通化によってレベルが低くなり過ぎる場合に対応が可能になる。
【００６４】
データ再生装置１は、上述したように、ノイズを低く抑え得る第一の系に係る音声データが再生され、且つ、第一の系に係る音声データが記録時に過大入力であって再生すると歪んだ音声として出力される部分においては第二の系に係る音声データによって歪みを含まない音声が出力されるので、ノイズが低く抑えられ且つ歪みの生じない音声を再生することが可能になっている。
又、データ再生装置１は、煩雑な操作を必要としていない。
【００６５】
データ再生装置１は、上述したように、ＤＳＰ３が記録媒体１０から第一の系に係る音声データを読み出し、そのピークが再生出力レベルの限界値を越えているか否かの検出を行っている。
他方、予め音声データの作成の際に、音声データファイルとは別に録音のなかで最も録音レベルが高い値、つまり各録音期間のピークの値を音声データファイルの付属ファイルとして記録媒体に記録しておき、音声データの再生の際に、ＤＳＰが前記記録媒体に記録された付属ファイルを読み出して最大入力に達しているか否かの判別に基づいて、再生出力レベルが限界値を超えたピークがあるか否かの検出を行う構成であってもよい。
【００６６】
データ再生装置１は、二つの系の音声データつまり二つの異なる増幅レンジの音声データを扱う構成であるが、三つ以上の異なる増幅レンジの音声データを扱う構成であってもよい。
又、データ再生装置１は、二つの系の増幅レベル差は１０ｄＢであって、第一の系の音声データを１０ｄＢだけ下げることによって第二の系の音声データにレベルの共通化を行っているが、増幅レベルの差に対応するレベルダウンさせてレベルの共通化を行うとよい。
【図面の簡単な説明】
【００６７】
【図１】この発明の実施の最適な形態に記録媒体を接続した際の構成を説明する構成ブロック図である。
【図２】図１に示す形態のＤＳＰの信号加工の機能を説明する構成説明図である。
【図３】図１に示す形態において、異なる増幅度によって増幅された際の二つの信号と、図１に示す形態を用いて前記二つの信号を最大入力電圧以下で繋いで得られる信号との関係を説明する構成説明図である。
【符号の説明】
【００６８】
１                  ：音声データ記録装置
２                  ：バッファメモリ
３                  ：デジタル信号プロセッサ（ＤＳＰ）
４                  ：制御手段
５                  ：Ｄ／Ａ変換器
６，２０，２１      ：アンプ
７                  ：スピーカ
１０                ：記録媒体
１９                ：マイクロホン
２４，２５          ：Ａ／Ｄ変換器
【図１】
2008041174.tif 000003
【図２】
2008041174.tif 000004
【図３】
2008041174.tif 000005